(57)【要約】【課題】従来の多枚式ディスクカセット構造では、上蓋と下蓋との係止力が弱くなり、ホットシールを加えても搬送中の揺れや振れによる上蓋や下蓋が脱落することがある。この脱落を防止し、ホットシールを不用とすることを目的とする。【解決手段】上蓋と、前記上蓋とキャップする下蓋と、前記上蓋と前記下蓋の両方のうちの一つに設置され、少なくとも一つの外部止めフック、少なくとも一つのストップブロック及び複数の押圧片を有し、一側に該外部止めフック及びストップブロックが設置され、他の一側に間隔をおいてこれらの押圧片が設置される外部止めストリップと、前記上蓋と前記下蓋の両方うちの他一つに設置され、前記外部止めフックに係止する複数の内部止めフックと、を含むバレル型多枚式盗難防止ディスクカセット構造改良を形成する。【選択図】図２
0003126736.tif 000002
【実用新案登録請求の範囲】
【請求項１】
中空ケースである上蓋と、
前記上蓋とキャップする下蓋と、
前記上蓋と前記下蓋の両方のうちの一つに設置され、少なくとも一つの外部止めフック、少なくとも一つのストップブロック及び複数の押圧片を有し、一側に該外部止めフック及びストップブロックが設置され、他一側に間隔をおいてこれらの押圧片が設置される外部止めストリップと、
前記上蓋と前記下蓋の両方うちのの他一つに設置され、前記外部止めフックに係止される複数の内部止めフックと、を含むバレル型多枚式盗難防止ディスクカセット構造改良。
【請求項２】
前記外部止めストリップが該下蓋の外周縁に設けられ、これらの内部止めフックが該上蓋の開口寄りの箇所に設置されることを特徴とする請求項１に記載のバレル型多枚式盗難防止ディスクカセット構造改良。
【請求項３】
前記下蓋がリング壁を有し、前記リング壁と外部止めストリップとの間にリング溝が形成され、前記上蓋が前記リング溝にキャップされることを特徴とする請求項１に記載のバレル型多枚式盗難防止ディスクカセット構造改良。
【請求項４】
前記外部止めストリップが前記上蓋の開口端に設置され、これらの内部止めフックが前記下蓋上に設置されることを特徴とする請求項１に記載のバレル型多枚式盗難防止ディスクカセット構造改良。
【請求項５】
前記外部止めストリップが、少なくとも一つのパッドを有し、前記パッドが前記外部止めフックに設置されることを特徴とする請求項１に記載のバレル型多枚式盗難防止ディスクカセット構造改良。
【請求項６】
さらに、前記外部止めストリップに複数の押圧溝が設けられ、且つ、これらの押圧溝がこれらの押圧片に隣接していることを特徴とする請求項１に記載のバレル型多枚式盗難防止ディスクカセット構造改良。
【考案の詳細な説明】
【技術分野】
【０００１】
本考案は、バレル型多枚式盗難防止ディスクカセット構造改良に係わり、とくに、ディスクを収納するためのディスクカセットを指すものである。
【背景技術】
【０００２】
図１を参照すると、従来の多枚式ディスクカセット構造は、蓋１ａ及びボディ２ａを含む。該蓋１ａの開口周縁にフランジ３ａが設けられ、該フランジ３ａが間隔をおいてリング状配列されるとともに開口周縁の外側へ凸設し、該フランジ３ａの表面に位置決めパッド４ａと位置決め片５ａが設けられる。該ボディ２ａの周縁に止めリブ６ａ及び嵌合溝７ａが凸設され、該嵌合溝７ａに凹溝８ａが設けられる。該止めリブ６ａの内側にリング状支持片９ａが設けられ、該ボディ２ａの中心位置に支持柱１０ａが立設される。該蓋１ａを該ボディ２ａにキャップする時に、該蓋１ａの開口周縁がリング状支持片９ａをキャップする。該フランジ３ａを該ボディ２ａの止めリブ６ａ間のピッチに合わせて、該蓋１ａ及び該ボディ２ａを逆方向回転することで該フランジ３ａを該嵌合溝７ａ内に係合させ、位置決め片５ａで停止させる。該フランジ３ａの位置決めパッド４ａは、該嵌合溝７ａの凹溝８ａ内に係止される。
【考案の開示】
【考案が解決しようとする課題】
【０００３】
しかしながら、前記従来の多枚式ディスクカセット構造では、該フランジ３ａが該蓋１ａの開口の外側へ片方向に凸設するため、該フランジ３ａの外凸サイズが大きく、該ボディ２ａのサイズが該蓋１ａの開口より大きくなる。このため該多枚式ディスクカセットの収納空間が無駄になり、且つ、後工程のホットシールパッケージ作業が面倒になる。また、該フランジ３ａが位置決めパッド４ａだけで該嵌合溝７ａの凹溝８ａ内に係止すると、該位置決めパッド４ａと凹溝８ａとの係止力が弱くなり、ホットシールを加えても、該多枚式ディスクカセットの搬送途中では、揺れ又は振れによる蓋１ａの脱落になり易い。
【０００４】
よって本考案の目的は、収納空間が節約され、揺れ又は振れによる脱落はなく、ホットシールを加える必要もなく、生産コストを低下させ、且つ、盗難防止機能があり並びに環境保護にも貢献できるバレル型多枚式盗難防止ディスクカセット構造改良を提供することを目的とする。
【０００５】
そのため、本考案者は、前記欠点を改良するために、長年来この領域で積み重ねた経験により詳細な観察かつ研究をし、さらに学術理論の運用に合せて、合理な設計で且つ前記の欠点を有効に改善する本考案を提案する。
【課題を解決するための手段】
【０００６】
前記目的を達成するために、本考案は、中空ケースである上蓋と、前記上蓋とキャップする下蓋と、前記上蓋と前記下蓋の両方のうちの一つに設置され、少なくとも一つの外部止めフック、少なくとも一つのストップブロック及び複数の押圧片を有し、一側に該外部止めフック及びストップブロックが設置され、他の一側に間隔をおいてこれらの押圧片が設置される外部止めストリップと、前記上蓋と前記下蓋の両方うちの他の一つに設置され、前記外部止めフックに係止する複数の内部止めフックと、を含むバレル型多枚式盗難防止ディスクカセット構造改良を提供する。
【考案の効果】
【０００７】
上蓋と下蓋が外力によって外れにくい構造となっているので、ディスクカセットが搬送中に脱落することがなく、盗難を防ぐことができる。また上蓋、下蓋ともに突出したフランジを持たないので、収納空間を節約できる。更にホットシールによる封入も不用になる。
【考案を実施するための最良の形態】
【０００８】
本考案の特徴及び技術内容を深く且つ具体的な理解できるように、以下に本考案に関わる詳しい説明及び添付図面を参照しながら本考案を説明する。しかし、それらの添付図面が参考及び説明のみに使われ、本考案の主張範囲を狭義的に局限するものではないことは言うまでもないことである。
【０００９】
図２〜図５を参照すると、本考案の第１の実施の形態は、中空ケースである上蓋１０と、下蓋２０と、外部止めストリップ３０と、三つの内部止めフック４０と、を含むバレル型多枚式盗難防止ディスクカセット構造改良である。該下蓋２０と上蓋１０がキャップされ、該下蓋２０がリング壁２１を有し、該リング壁２１と外部止めストリップ３０との間にリング溝２２が形成され、該上蓋１０の開口が該リング溝２２にキャップされる。また、該下蓋２０の中心位置に支持柱２３が設置される。該上蓋１０の天井面中心位置が上向きに突起して、その内面に上向きな凹溝１１が形成され、該凹溝１１が該支持柱２３に対応する。また、該上蓋１０の天井面に指示符号１２が設けられ、該指示符号１２により該ディスクカセットの開閉方向を示す。
【００１０】
該外部止めストリップ３０はリング体であり、該下蓋２０の外周縁に設置され、複数の外部止めフック３１、三つのストップブロック３２、三つのパッド３３及び三つの押圧片３４を有する。該外部止めフック３１は鉤状の長棒体で、これらの外部止めフック３１が等間隔をおいて該外部止めストリップ３０の内側に設置される。該ストップブロック３２は直棒体で、これらのストップブロック３２は等間隔をおいて該外部止めストリップ３０の内側に設置され、且つ、これらのストップブロック３２は間隔をおいてこれらの外部止めフック３１の片側に配置される。該パッド３３は略半円形の突出物で、これらのパッド３３は等間隔をおいて該外部止めストリップ３０に設置され、且つ、これらのパッド３３は間隔をおいてこれらの外部止めフック３１の上に設置される。これらの外部止めフック３１はこれらのパッド３３により該上蓋１０に当接し、回転時の接触感を増加させる。該押圧片３４は略長方形で、これらの押圧片３４は等間隔をおいて該外部止めストリップ３０の外側に設置され、且つ、これらのストップブロック３２とこれらのパッド３３の間の外部止めフック３１に対応する。これらの押圧片３４の両側はそれぞれＶ形状の凹みになり、これらの押圧片３４が動かしやすくなる。これらの押圧片３４の下方には略長方形の押圧溝３５が設けられ、該押圧溝３５及びこれらの押圧片３４の両側のＶ形状の凹みは連続している。
【００１１】
該内部止めフック４０は鉤状の長棒体で、これらの内部止めフック４０が等間隔をおいて上蓋１０外側の開口寄りの箇所に設置され、これらの内部止めフック４０が該外部止めストリップ３０のこれらの外部止めフック３１で係止される。また、該内部止めフック４０の長さはこれらの外部止めフック３１の間の間隔距離より大きいので、該上蓋１０を回転しても、これらの内部止めフック４０がこれらの外部止めフック３１に係止される。
【００１２】
使用の際に、下蓋２０の支持柱２３がディスクの中央に貫通されることで、該ディスクをディスクカセット内に収納し易くなる。キャップするときは、該上蓋１０の開口端を該下蓋２０のリング溝２２内に押し入れ、これらの内部止めフック４０を該外部止めストリップ３０のこれらの外部止めフック３１に係止させるようにする。オープンしようとするときは、該指示符号１２に従って、これらの内部止めフック４０が該外部止めストリップ３０のこれらのストップブロック３２にストップされるまでに該上蓋１０を回転する。さらに、手又はツールをこれらの押圧溝３５に引っ掛けてこれらの押圧片３４を引っ張って移動する。これらの内部止めフック４０がこれらの押圧片３４の脱着箇所で外れて、該上蓋１０がオープンする。再びキャップするときは、該上蓋１０の開口端を該下蓋２０のリング溝２２内に押し入れるか、これらの押圧片３４の脱着箇所で、該指示符号１２に従って該上蓋１０を回転させ、これらの内部止めフック４０を該リング溝２２内に転入する。以上のようにして、本考案のバレル型多枚式盗難防止ディスクカセット構造改良を形成する。
【００１３】
図６〜図８を参照すると、本考案の第２の実施の形態では、該外部止めストリップ３０が該上蓋１０の開口端に設置される。該外部止めストリップ３０の外部止めフック３１は方形の長棒体で、これらの外部止めフック３１が等間隔をおいて該外部止めストリップ３０の内側に設置される。該内部止めフック４０は鉤状の長棒体で、これらの内部止めフック４０が等間隔をおいて該リング壁２１の外側に設置される。該上蓋１０を該下蓋２０に閉じる力で、これらの内部止めフック４０の下端をこれらの外部止めフック３１の上端に当接し、該外部止めストリップ３０のこれらの外部止めフック３１をこれらの内部止めフック４０に係止させる。
【００１４】
本考案のバレル型多枚式盗難防止ディスクカセット構造改良では、該外部止めストリップ３０のこれらの外部止めフック３１がこれらの内部止めフック４０に係止されると、外力でこれらの外部止めフック３１及びこれらの内部止めフック４０を分離しにくくなっている。よってディスクカセットが搬送途中で脱落することはなく、該ディスクカセット内部のディスクが落ちたり盗まれたりすることを避けられるので、盗難防止機能を持つようにできる。また、型内成形技術でホットシール上のパターン又は文字を該上蓋１０に表現すると、ホットシールを加える必要がなくなり、生産コスト低下及び環境保護の目的を達成できる。また、該上蓋１０及び該下蓋２０には突出するフランジがないので、収納空間を節約できる。
【００１５】
しかし、前記の説明は、単に本考案の好ましい実施の形態に過ぎなく、本考案の請求の範囲を限定するものではない。該分野における通常の知識を有する者が本考案の分野の中で、適宜、変更や修飾などを実施できるが、それらの実施も本考案の主張範囲内に入ることは言うまでもない。
【図面の簡単な説明】
【００１６】
【図１】従来の多枚式ディスクカセット構造の分解斜視図である。
【図２】本考案のバレル型多枚式盗難防止ディスクカセット構造改良の第１の実施の形態の分解斜視図である。
【図３】本考案のバレル型多枚式盗難防止ディスクカセット構造改良の第１の実施の形態の断面図である。
【図４】図３のＡ部増幅図である。
【図５】本考案の外部止めストリップを示す斜視図である。
【図６】本考案のバレル型多枚式盗難防止ディスクカセット構造改良の第２の実施の形態の分解斜視図である。
【図７】本考案のバレル型多枚式盗難防止ディスクカセット構造改良の第２の実施の形態の断面図である。
【図８】図７のＡ部増幅図である。
【符号の説明】
【００１７】
１ａ  蓋
２ａ  ボディ
３ａ  フランジ
４ａ  位置決めパッド
５ａ  位置決め片
６ａ  止めリブ
７ａ  嵌合溝
８ａ  凹溝
９ａ  リング状支持片
１０ａ  支持柱
１０  上蓋
１１  凹溝
１２  指示符号
２０  下蓋
２１  リング壁
２２  リング溝
２３  支持柱
３０  外部止めストリップ
３１  外部止めフック
３２  ストップブロック
３３  パッド
３４  押圧片
３５  押圧溝
４０  内部止めフック
【図１】
0003126736.tif 000003
【図２】
0003126736.tif 000004
【図３】
0003126736.tif 000005
【図４】
0003126736.tif 000006
【図５】
0003126736.tif 000007
【図６】
0003126736.tif 000008
【図７】
0003126736.tif 000009
【図８】
0003126736.tif 000010
【手続補正書】
【提出日】平成18年9月6日(2006.9.6)
【手続補正１】
【補正対象書類名】実用新案登録請求の範囲
【補正対象項目名】全文
【補正方法】変更
【補正の内容】
【実用新案登録請求の範囲】
【請求項１】
中空ケースである上蓋と、
前記上蓋とキャップする下蓋と、
前記上蓋と前記下蓋の両方のうちの一つに設置され、少なくとも一つの外部止めフック、少なくとも一つのストップブロック及び複数の押圧片を有し、一側に該外部止めフック及びストップブロックが設置され、他一側に間隔をおいてこれらの押圧片が設置される外部止めストリップと、
前記上蓋と前記下蓋の両方うちのの他一つに設置され、前記外部止めフックに係止される複数の内部止めフックと、を含むバレル型多枚式盗難防止ディスクカセット。
【請求項２】
前記外部止めストリップが該下蓋の外周縁に設けられ、これらの内部止めフックが該上蓋の開口寄りの箇所に設置されることを特徴とする請求項１に記載のバレル型多枚式盗難防止ディスクカセット。
【請求項３】
前記下蓋がリング壁を有し、前記リング壁と外部止めストリップとの間にリング溝が形成され、前記上蓋が前記リング溝にキャップされることを特徴とする請求項１に記載のバレル型多枚式盗難防止ディスクカセット。
【請求項４】
前記外部止めストリップが前記上蓋の開口端に設置され、これらの内部止めフックが前記下蓋上に設置されることを特徴とする請求項１に記載のバレル型多枚式盗難防止ディスクカセット。
【請求項５】
前記外部止めストリップが、少なくとも一つのパッドを有し、前記パッドが前記外部止めフックに設置されることを特徴とする請求項１に記載のバレル型多枚式盗難防止ディスクカセット。
【請求項６】
さらに、前記外部止めストリップに複数の押圧溝が設けられ、且つ、これらの押圧溝がこれらの押圧片に隣接していることを特徴とする請求項１に記載のバレル型多枚式盗難防止ディスクカセット。
【手続補正３】
【補正対象書類名】明細書
【補正対象項目名】０００１
【補正方法】変更
【補正の内容】
【０００１】
本考案は、バレル型多枚式盗難防止ディスクカセットに係わり、とくに、ディスクを収納するためのディスクカセットを指すものである。